(57)【要約】  本発明は、簡単な支払シナリオにおいて受取人が取引を承認または拒否するため受取人に送信される承認要求を導入する。金融取引サービス加入者は、金融取引口座が加入者自身の口座との取引に関連する場合に、適用される特定規則に従う金融取引口座の特殊リストを作成できる。この特定規則は取引処理プラットフォームおよび／または携帯用ハンドセットおよび／または加入者のＳＩＭによりチェックされ実施される。特殊なリストの一部または全部は、取引処理プラットフォームに接続するファイル内および／または携帯用ハンドセットのメモリまたはＳＩＭのメモリに記憶される。加入者の金融取引口座番号は、本発明に記載する方法および手段により他の加入者が自動的に読み出せる。承認を求める支払人に送信された支払要求の確認は、受取人の携帯用ハンドセット上に名前またはロゴまたは容易に認識できる署名または可聴メッセージを表示することにより容易に行える。
2007507011.tif 000002
【特許請求の範囲】
【請求項１】
無線通信ネットワークを通して金融取引を可能にするシステムで取引を行うための方法であって、簡単な支払いが支払人により受取人に送信された場合、承認を求める要求が受取人の携帯用ハンドセットまたは接続可能な電子デバイスに送られることを特徴とする方法。
【請求項２】
前記受取人による支払いの承認または拒否が、パスワードの入力により、または指紋認証機構、音声認証機構または顔認証機構のような他の手段により確認されることを特徴とする、請求項１に記載の方法。
【請求項３】
承認または拒否の決定が、無線通信ネットワークを通して、ファイルの内容のデジタル署名を含むデータ・ファイルにより取引処理プラットフォームに送信されることを特徴とする、請求項１または２に記載の方法。
【請求項４】
前記データ・ファイルが、送信の前に暗号化されることを特徴とする、請求項３に記載の方法。
【請求項５】
無線通信ネットワークを通して金融取引を行うことができるようにするシステムであって、前記金融取引サービスへの加入者が、自分自身の口座に関連する金融取引口座の少なくとも１つの特殊なリストを開くことができることを特徴とするシステム。
【請求項６】
前記特殊なリスト内に含まれている口座により行った金融取引が、少なくとも１つの特定の規則に従うことを特徴とする、請求項５に記載のシステム。
【請求項７】
前記特定の１つの規則または複数の規則が、前記取引処理プラットフォームによりチェックされ、実施されることを特徴とする、請求項６に記載のシステム。
【請求項８】
前記特定の１つの規則または複数の規則が、前記携帯用ハンドセットまたは前記接続可能な電子デバイスおよび／または前記加入者識別モジュールによりチェックされ、実施されることを特徴とする、請求項６に記載のシステム。
【請求項９】
前記加入者が、自分の携帯用ハンドセットまたは接続可能な電子デバイスから直接またはインターネットにより、１つまたは複数の口座を自分の特殊なリストから除去したり、自分の特殊なリストへ追加することができることを特徴とする、請求項５乃至８の何れかに記載のシステム。
【請求項１０】
加入者が、自分の特殊なリスト内に、前記システム内に位置するすべての他の金融取引口座を含むことができることを特徴とする、請求項５乃至９の何れかに記載のシステム。
【請求項１１】
前記システム内のすべての既存の特殊なリストが、データベース内にまたは前記取引処理プラットフォームにより管理されているおよび／またはインタフェースされているファイル内に記憶されることを特徴とする、請求項５乃至１０の何れかに記載のシステム。
【請求項１２】
加入者の特殊なリストの一部または全部が、加入者の携帯用ハンドセットまたは接続可能な電子デバイスのメモリ、および／または前記加入者識別モジュールのメモリに記憶されることを特徴とする、請求項５乃至１１の何れかに記載のシステム。
【請求項１３】
特殊なリストを定義する前記規則が、この特殊なリストに含まれている口座により許可された取引ではないことを特徴とする、請求項７または８に記載のシステム。
【請求項１４】
特殊なリストを定義する前記規則が、支払人の口座が前記特殊なリストに含まれている場合には、簡単な支払い取引で必要な承認を求める要求でないことを特徴とする、請求項７または８に記載のシステム。
【請求項１５】
特殊なリストを定義する前記規則が、前記特殊なリスト内に含まれている口座からの簡単な支払いだけを拒否しなければならないことを特徴とする、請求項７または８に記載のシステム。
【請求項１６】
特殊なリストを定義する前記規則が、簡単な支払取引を前記特殊なリスト内に含まれている口座に送ってはならないことを特徴とする、請求項７または８に記載のシステム。
【請求項１７】
特殊なリストを定義する前記規則が、前記特殊なリスト内に含まれている口座からの支払い要求を受け入れるべきではないことを特徴とする、請求項７または８に記載のシステム。
【請求項１８】
特殊なリストを定義する前記規則が、請求項１３乃至１７に含まれている前記規則のうちの少なくとも２つの組合わせであることを特徴とする、請求項７または８に記載のシステム。
【請求項１９】
無線通信ネットワークを通して金融取引を行うことができるようにするシステムであって、加入者の金融取引口座番号が、自動呼出し方法および／またはデバイスを有する他の加入者により自動的に読み出すことができることを特徴とするシステム。
【請求項２０】
前記金融取引口座番号が、カード上にバーコード形式で印刷されていることを特徴とする、請求項１９に記載のシステム。
【請求項２１】
前記金融取引口座番号が、前記携帯用ハンドセットまたは前記接続可能な電子デバイス上に貼付されているステッカー上にバーコード形式で印刷されていることを特徴とする、請求項１９に記載のシステム。
【請求項２２】
前記金融取引口座番号が、赤外線インタフェースを通して、前記他の加入者の携帯用ハンドセットまたは接続可能な電子デバイスに送信されることを特徴とする、請求項１９に記載のシステム。
【請求項２３】
前記金融取引口座番号が、非接触電子マイクロ回路に記憶されていて、非接触リーダにより読み出すことができることを特徴とする、請求項１９に記載のシステム。
【請求項２４】
前記金融取引口座番号が、非接触リーダにより読み出すことができる非接触インタフェースを有する加入者識別モジュールに記憶されることを特徴とする、請求項１９に記載のシステム。
【請求項２５】
前記金融取引口座番号が、ＢｌｕｅｔｏｏｔｈまたはＷｉＦｉのような短距離無線インタフェースを通して、前記他の加入者の携帯用ハンドセットまたは接続可能な電子デバイスに送信されることを特徴とする、請求項１９に記載のシステム。
【請求項２６】
無線通信ネットワークを通して金融取引を行うことができるようにするシステムでの支払い要求方法であって、前記支払人の携帯用ハンドセットまたは接続可能な電子デバイス上に前記要求を表示する場合、前記受取人の口座番号の代わりに、前記受取人の名前またはブランドが表示されることを特徴とする支払い要求方法。
【請求項２７】
無線通信ネットワークを通して金融取引を行うことができるようにするシステムでの支払い要求方法であって、前記支払人の携帯用ハンドセットまたは接続可能な電子デバイス上に、前記要求を表示する場合、前記受取人の口座番号の代わりに、前記受取人のロゴまたは前記受取人が選択した画像が表示されることを特徴とする支払い要求方法。
【請求項２８】
無線通信ネットワークを通して金融取引を行うことができるようにするシステムでの支払い要求方法であって、前記支払人の携帯用ハンドセットまたは接続可能な電子デバイス上に前記要求を表示する場合、前記支払人のハンドセットにより可聴メッセージが同報通信されることを特徴とする支払い要求方法。
【発明の詳細な説明】
【技術分野】
【０００１】
本発明は、無線電気通信システムに関し、特に無線通信ネットワークを通して金融取引を行うことができるようにするシステムに関する。
【背景技術】
【０００２】
近年、デジタル無線通信ネットワーク（ＧＳＭ、ＣＤＭＡ）が大成功を納め、ユーザに一連の新しい可能性を提供している。展開がスタートしているＷＣＤＭＡ、ＣＤＭＡ  ２０００またはＴＤ−ＳＣＤＭＡのような新しい世代のネットワークは、ユーザにビデオ・ストリーミング等のような多くのより優れた機能を提供することができる。デジタル携帯電話も、もっと優れた機能、改善された処理能力およびメモリを有していて、音声、テキスト通信またはデータ転送を遥かに超える広い範囲の用途に使用することができる。
【０００３】
ネットワークまたは携帯電話のこれらの機能にも関わらず、無線通信ネットワークを通しておよび携帯電話により支払いを行う機能のようなある種の用途は出現していないし、いくつかの試みの結果実施するには複雑過ぎることが分かっている。
【０００４】
本発明は、また、「電気通信オペレータが、金融取引サービスを提供することができるようにするシステム、およびこのような取引を実施するための方法」（ＳＹＳＴＥＭ  ＴＯ  ＥＮＡＢＬＥ  Ａ  ＴＥＬＥＣＯＭ  ＯＰＥＲＡＴＯＲ  ＰＲＯＶＩＤＥ  ＦＩＮＡＮＣＩＡＬ  ＴＲＡＮＳＡＣＴＩＯＮＳ  ＳＥＲＶＩＣＥＳ  ＡＮＤ  ＭＥＴＨＯＤＳ  ＦＯＲ  ＩＭＰＬＥＭＥＮＴＩＮＧ  ＳＵＣＨ  ＴＲＡＮＳＡＣＴＩＯＮＳ）という名称の以前の特許出願ＰＣＴ／ＣＮ０２／００３０１に関する。
【０００５】
上記特許出願は、無線通信ネットワークを通して金融取引を実行する問題へのある種の解決方法であり、
−簡単な支払い、
−支払い要求
で支払いを行うためのいくつかの方法を開示している。
【０００６】
簡単な支払い取引プロセスの際には、取引処理プラットフォームが受信すると直ちに支払いが行われ、両方の当事者、すなわち支払人、および受取人に通知が行われる。ある状況の場合には、支払人が悪意を持ち、受取人がこのような支払いを受け取りたがらない場合には、問題が発生する恐れがある。本発明はこの潜在的な問題を解決する。
【０００７】
支払い要求の場合、支払い要求を送信することができるように、受取人は、支払人の口座番号を知る必要がある。この口座番号は、通常、８〜１６桁の数字で、その手動による捕捉が難しい場合があり、望ましくない間違いのもとになることもある。本発明はこの状況を解決する。また、支払人が受取人から支払い要求を受け取った場合、受取人の口座番号が表示される。ある状況の場合には、その口座番号だけでは、受取人を識別または認識するのが、支払人にとって容易ではなく、速度が遅く、または快適でない場合がある。本発明はこの状況を解決する。
【特許文献１】ＰＣＴ／ＣＮ０２／００３０１
【発明の開示】
【発明が解決しようとする課題】
【０００８】
本発明の目的は、金融取引の確認および実行のために、特許出願ＰＣＴ／ＣＮ０２／００３０１がすでに開示している方法を革新的に改善することである。
【課題を解決するための手段】
【０００９】
本発明によれば、受取人が、自分の金融取引口座で支払いを受けるか受けないかを決定するために、簡単な支払いシナリオで承認に対する要求が導入され、受取人に送られる。
【００１０】
本発明によれば、金融取引サービスへの加入者は、金融取引口座が、加入者自身の口座との取引に関連している場合、適用される特定の規則に従う金融取引口座の特殊なリストを作成することができる。本発明によれば、このような特定の規則は、取引処理プラットフォームおよび／または携帯用ハンドセットおよび／または上記加入者のＳＩＭによりチェックされ、実施される。本発明によれば、上記の特殊なリストの一部または全体は、取引処理プラットフォームに接続しているファイル内、および／または携帯用ハンドセットのメモリ、および／またはＳＩＭのメモリに記憶される。
【００１１】
本発明によれば、加入者の金融取引口座番号は、本発明が記載する他の加入者、方法および手段により自動的に読み出すことができる。
【００１２】
本発明によれば、承認のために支払人に送信する支払い要求の確認は、自分の携帯用ハンドセット上の受取人の名前またはロゴまたは容易に認識することができる署名、または可聴メッセージの表示により容易に行うことができる。
【００１３】
添付の図面を参照しながら本発明を以下にさらに詳細に説明する。
【発明を実施するための最良の形態】
【００１４】
特許出願ＰＣＴ／ＣＮ０２／００３０１においては、２つの取引シナリオおよびその各プロセスが非常に詳細に説明されている。２つの取引シナリオとは、
−シナリオ１：簡単な支払い
−シナリオ２：支払い要求
である。
【００１５】
これらの２つのシナリオは、最も頻繁に使用する金融取引シナリオを表す。
【００１６】
本発明は、追加の革新的な機能およびこれらのプロセスの改善に関する。これらについては以下にさらに詳細に説明する。
【００１７】
シナリオ１：簡単な支払い
このシナリオは、通常、支払人「Ｂ」が受取人「Ａ」に支払いを行うピアツウピア取引である。このシナリオは通常のシナリオではないが、「Ａ」が、この場合は「Ｂ」である未知の支払人からある金額を受け取りたくないある状況の場合に発生する場合がある。このような場合、「Ａ」は、望ましくない支払いを拒否する可能性を持つ必要がある。
【００１８】
本発明によれば、取引プロセス中に、支払人「Ｂ」が送った受取人「Ａ」の金融取引口座（ＦＴＡ）上の支払いを、受取人「Ａ」が受けるのか拒否するのかを要求するステップを含む（図１参照）。本発明の一実施形態の場合には、取引処理プラットフォーム（ＴＰＰ）は、受取人の携帯電話または接続可能な電子デバイスに、一例を挙げて説明すると、下記の内容を含むことができる承認要求を送る（図２（ａ）参照）。
貴方は貴方の口座でこの支払いを引き受けますか？
金額：１６８．００＄
支払人番号：８６５３  ２５４３  ５５５５
対象：貴方の書籍
コメント：ありがとうございます
【００１９】
それ故、受取人「Ａ」は、対応するキーを押して、「はい」または「いいえ」の回答を行うように要求される。受取人「Ａ」が自分の選択したキーを押した場合には、「Ａ」は、自分のパスワード（図２（ｂ）参照）をキー入力することにより、または上記特許出願ＰＣＴ／ＣＮ０２／００３０１に記載の他の手段のうちの任意の手段により、確認／承認／署名を行うようにプロンプトされる。
【００２０】
本発明によれば、次に、携帯用ハンドセットまたは接続可能な電子デバイスまたはＳＩＭ上にインストールされている移動取引管理ソフトウェア（ＭＴＭＳ）が、提案された取引のデータ、日付および時間、受取人「Ａ」の決定（すなわち、承認または拒否）、および対応するデジタル署名でデータ・ファイルを生成する。次に、このデータ・ファイルは暗号化され、実行のためにＴＰＰに送られる。
【００２１】
受取人「Ａ」の決定を受信した場合には、ＴＰＰは、受取人の選択により取引を実行する。
【００２２】
−承認の場合には、特許出願ＰＣＴ／ＣＮ０２／００３０１に記載のプロセスにより、「Ａ」のために支払いが行われる。
【００２３】
−拒否の場合には、ＴＰＰは、支払人「Ｂ」に、下記の内容（図２（ｃ）参照）を含むことができる拒否通知を送る。
貴方の支払い
金額＄：１６８．００
受取人番号：８６５８  １２３５  ７７７７
は拒否されました。
【００２４】
この方法は、悪意のある金融取引の試み（違法行為、脅迫状等）から人々を保護するのに特に興味のある方法である。しかし、ある場合には、支払いの受け取りを承認する必要があるということは、うまくいかない場合もあるし、面倒である場合すらある。それは、例えば、受取人が、自分が知っている支払人（親戚、友人、顧客等）からの支払いを予想している場合である。
【００２５】
このような場合、システムが、受け入れた未知のまたは望ましくない支払人からの取引を識別および区別することができれば有利である。このような区別により、システムは、受取人に承認を求める要求を送ったり、送らなかったり、または取引を拒否すらする。
【００２６】
本発明によれば、特許出願ＰＣＴ／ＣＮ０２／００３０１に記載のシステムは、金融取引サービスへの加入者に、承認を求める要求を必要としない特殊なリストＦＴＡ番号に記載される可能性を提供する。
【００２７】
しかし、特殊なリストの観念を、取引を制御または確認の際にさらに有利にするために、他のタイプの規則にさらに拡張することができる。加入者に対する特殊なリストを定義するために、１つの規則または一組の規則を選択することができる。これらの規則は、加入者（特殊なリストの所有者）と特殊なリストに含まれている口座との間の取引に適用される。加入者は、１つまたはいくつかの特殊なリストを有することができる。本発明のある実施形態の場合には、規則は取引処理プラットフォームによりチェックされ、適用される。本発明の他の実施形態の場合には、規則は、携帯用ハンドセット上またはＳＩＭ上で可動するＭＴＭＳによりチェックされ、適用される。
【００２８】
いくつかの例を挙げて説明すると、下記の特殊なリストは、その対応する規則により定義される。
【００２９】
デフォルト・リスト：特定の規則なし
デフォルトにより、すべての口座はデフォルト・リストに含まれる。これらの口座には特定の規則は適用されない。
【００３０】
グリーン・リスト：承認に対する要求は必要ない
加入者が自分のグリーン・リストにいくつかの口座を含んでいる場合には、これらの口座から受信した簡単な支払いは、受取人に送信する（上記のような）承認のためのすべての要求を必要としないものでなければならない。簡単な支払いが行われ、当事者に特許出願ＰＣＴ／ＣＮ０２／００３０１に記載されているような通知が行われる。
【００３１】
ブラック・リスト：拒否されたすべての取引
加入者が自分のブラック・リストにいくつかの口座を含んでいる場合には、これらの口座とは取引することはできない。
【００３２】
レッド・リスト：拒否された簡単な支払いの受信だけ
加入者が自分のレッド・リストにいくつかの口座を含んでいる場合には、これらの口座からの簡単な支払いだけを、加入者に通知しないでＴＰＰにより拒否しなければならない。しかし、これらの口座との他のタイプの取引は行うことができる。
【００３３】
オレンジ・リスト：拒否した簡単な支払いの送信だけ
加入者が自分のオレンジ・リストにいくつかの口座を含んでいる場合には、加入者は、これらの口座に簡単な支払いを送信することはできない。しかし、これらの口座との他のタイプの取引は行うことができる。
【００３４】
ブルー・リスト：受け入れた要求への支払いなし
加入者が自分のブルー・リストにいくつかの口座を含んでいる場合には、これらの口座からの支払い要求を、加入者に通知しないでＴＰＰにより拒否しなければならない。しかし、これらの口座との他のタイプの取引は行うことができる。
【００３５】
リストの名前は、単に例示としてのものに過ぎない。
【００３６】
また、ある目的のための特定の規則により、いくつかの他のタイプの特殊なリストを生成することができることを容易に理解することができるだろう。例えば、いくつかのリストを、取引中のいくつかの限定された金額を上記リストの口座で設定するために生成することができる。
【００３７】
本発明によれば、金融取引サービスへの任意の加入者は、自分の携帯用ハンドセットまたは接続可能な電子デバイスから、直接自分の特殊なリストを更新することができる（すなわち、口座を追加および／または除去することができる）。
【００３８】
本発明によれば、加入者は、特殊なリスト内にすべての既存の金融取引口座を挿入することができる。このような挿入を行うことにより、および次に全部の中からいくつかの口座を除去することができるので、高度の柔軟性を有することができることを容易に理解することができるだろう。例えば、父親は、自分の子供を金融取引サービスに登録させることができ、すべての口座を自分の子供のブラック・リストに記載するように要求し、次に父親はブラック・リストからいくつかの口座を除去することができる。それ故、子供は制限された数の承認された口座とだけ取引を行うことができる。
【００３９】
このような使用可能な特殊なリストを有することの利点は、容易に理解することができる。例えば、その重大な関心事が、販売時点での支払いプロセスのスピードアップであり、また店員が支払いを行うことを防止することである小売店は、すべてのＦＴＡをグリーン・リスト、オレンジ・リストおよびブルー・リストに入れる。
【００４０】
本発明によれば、上記種々の特殊なリストを、データベース内に、または取引処理プラットフォーム（ＴＰＰ）により管理されているか、または干渉されている専用ファイル内に少なくとも記憶することができる。
【００４１】
本発明の他の実施形態の場合には、特殊なリストの全部または一部を、携帯用ハンドセットのメモリ、または接続可能な電子デバイスおよび／または加入者識別モジュール（ＳＩＭ、ＵＳＩＭ、ＵＩＭまたは等価物）のメモリに記憶することもできる。
【００４２】
シナリオ２：支払い要求
このシナリオの場合には、受取人「Ａ」は、自分が支払人「Ｂ」に支払い要求を送信した場合、取引の開始側になる。このシナリオは、小売り環境に特に適している。何故なら、このシナリオの場合、小売店は、例えば、取引データを顧客に送信することができ、それ故、顧客は支払いを行うことができるようにするために、データをキー入力する必要がないからである。しかし、このプロセスの場合、受取人は、支払人のＦＴＡ番号を入手し、キー入力しなければならない。ＦＴＡ番号は、通常、いくつかの桁（通常８〜１６桁）を有していて、このような口座番号を入手し、キー入力するのは、手間のかかるプロセスになり、うっかり誤りを起こしやすいので、支払人のＦＴＡ番号を自動的に入手できれば大きな利点となる。
【００４３】
本発明によれば、支払人のＦＴＡ番号は、受取人の携帯用ハンドセットまたは接続可能な電子デバイスに接続している自動読出しデバイスにより読み出しおよび捕捉することができる形で、支払人のハンドセット内／上に記憶される。
【００４４】
本発明の一実施形態の場合には、支払人のＦＴＡ番号は、携帯用ハンドセットの背面に貼付されているステッカー上にバーコード形式で印刷されている（図３参照）。この例の場合、自分の携帯用ハンドセットまたは接続可能な電子デバイスに接続しているバーコード・リーダを有する受取人は、支払人の携帯用ハンドセットにバーコード・リーダを近づけて、支払人のＦＴＡ番号を入手するだけでよい。次に、受取人は、特許出願ＰＣＴ／ＣＮ０２／００３０１に記載されているように、支払い要求の作成を継続して行うことができる。
【００４５】
本発明の他の実施形態の場合には、ＦＴＡ番号は、自動的に読み出すことができるように、受取人に提示されるカード上にバーコード形式で印刷される。
【００４６】
本発明の他の実施形態の場合には、ＦＴＡ番号は、支払人の携帯用ハンドセットまたは接続可能な電子デバイス上または内に固定される非接触電子チップのメモリに記憶される。このような非接触チップは、受取人の携帯用ハンドセットまたは接続可能な電子デバイスに接続している適当な非接触リーダにより電磁波を通してある距離（通常、数センチメートル）から読み出すことができる。
【００４７】
本発明の他の実施形態の場合には、ＦＴＡ番号は、非接触インタフェースを含むＳＩＭのメモリに記憶され、受取人の携帯用ハンドセットまたは接続可能な電子デバイスに接続している適当な非接触リーダにより読み出すことができる。
【００４８】
本発明の他の実施形態の場合には、ＦＴＡ番号は、支払人の携帯用ハンドセットのメモリから、または支払人のＳＩＭのメモリから読み出され、上記ハンドセットの赤外線ポートを通して、受取人の携帯用ハンドセットまたは接続可能な電子デバイスの赤外線ポートに送られる。
【００４９】
本発明の他の実施形態の場合には、ＦＴＡ番号は、支払人の携帯用ハンドセットのメモリから、または支払人のＳＩＭのメモリから読み出され、短距離無線インタフェース（ＢｌｕｅＴｏｏｔｈ、ＷｉＦｉ等）を通して、受取人の携帯用ハンドセットまたは接続可能な電子デバイスに送られる。
【００５０】
特許出願ＰＣＴ／ＣＮ０２／００３０１に記載の取引プロセスの場合には、支払人が支払い要求を受信すると、受取人がその人のＦＴＡ番号だけで識別される（図４（ａ）参照）。ある状況の場合には、このような識別を行うと支払人にとってある種の不便が発生する場合がある。何故なら、支払人は、この番号が小売店の番号と一致するかどうかを確認しなければならないからである。さらに、ある種の人々は、小売店の支払い要求が実際に受け入れられる前に、支払いを受けようとして同じ支払人に他の支払い要求を同じ瞬間に送るために、小売店のＦＴＡ番号を確認する際に支払人の一部からの用心が欠落していることを利用しようとする。本発明は、ＴＰＰが受取人に支払い要求を送っている場合に、ＴＰＰが受取人のＦＴＡ番号の代わりに表示されるデータを追加することを特徴として、このような潜在的問題を解決する。
【００５１】
本発明によれば、上記データ表示は、支払人が容易にまたは迅速に認識することができる。
【００５２】
本発明の一実施形態の場合には、上記データ表示は、受取人の名前またはブランドである（図４（ｂ）参照）。
【００５３】
本発明の他の実施形態の場合には、上記データ表示は、画像、ロゴ、アイコン、または任意の他の容易に認識することができる図形マークである（図４（ｃ）参照）。
【００５４】
本発明の他の実施形態の場合には、支払人が支払い要求をチェックしている間に、受取人を容易に認識できるようにする可聴メッセージが、支払人の携帯用ハンドセットにより送信される。
【００５５】
今まで本発明を説明してきたが、同じ方法が種々に変化することは明らかであろう。そのような変化を本発明の範囲からの逸脱と見なすべきではなく、そのようなすべての変更は、当業者であればすぐに理解することができると思うが、添付の特許請求の範囲内に含まれる。
【図面の簡単な説明】
【００５６】
【図１】受取人に提出された承認を求める要求により、簡単な支払いのために支払人、取引処理プラットフォームおよび受取人の間で行われるプロセスを示す図である。
【図２】（ａ）乃至（ｃ）は、図１に示す簡単な支払いプロセスのステップのうちのいくつかのステップ間に、受取人または支払人の携帯用ハンドセットのスクリーン上に表れる表示のいくつかを示す一例である。
【図３】携帯用ハンドセットの背面に貼付した、平文およびバーコード形式で印刷した金融取引口座（ＦＴＡ）番号を示す一例である。
【図４】支払人に送られた支払い要求上の受取人（有名なスーパーマーケットのチェーン店）の番号、名前およびロゴを表示するためのいくつかの方法を示す一例である。
【図１】
2007507011.tif 000003
【図２】
2007507011.tif 000004
【図３】
2007507011.tif 000005
【図４】
2007507011.tif 000006
【国際調査報告】
2007507011.tif 000007
2007507011.tif 000008